(57)【要約】【課  題】従来のペットボトルや容器の栓、蓋、弁は炭酸飲料の飲み残しに対して、栓、蓋、弁をするだけで、再度保管する際に、時間の経過や量の減少に伴い、容器内部の空気量が増え、炭酸の自然減少が進行していた。また、ビールサーバー器等の物は、外付の為、サイズが大きく、栓、蓋、弁と一体化している物ではなく、器具を取り付けたまま家庭用冷蔵庫へしまうことや、持ち運びをすることが容易でない。【解決手段】飲み残した炭酸飲料が入ったペットボトルや容器の栓、蓋、弁により密閉された状態で、更に容器外部から容器内部へ空気を押し込むことで容器内空気圧力を高めることのできる栓、蓋、弁の構造で、ポンプ（Ｂ１）（脱着式電動ポンプも可）と空気進入密着弁（Ｄ１）他符号を、栓、蓋、弁に一体化して装着する構造によって、通常の栓、蓋、弁よりやや大きくなる程度の物で、取り付けたまま家庭用冷蔵庫へしまうことや、持ち運びにも容易である。【選択図】図１
2004224431.tif 000002
【特許請求の範囲】
【請求項１】
ペットボトルや容器の栓、蓋、弁自体に、空気吸入口と空気排気出口を備えた形状で、栓、蓋、弁自体の外側上部に直接取り付けられたポンプ（脱着式電動ポンプも可）によって容器内部へ空気の挿入ができ、容器内へ挿入された圧縮空気が容器内空気圧力を高め、容器外へ空気が漏れることを防ぐことのできる空気進入密閉弁構造を備えた栓、蓋、弁。
【発明の詳細な説明】
【０００１】
【発明の属する技術分野】
本発明は、残量の減った炭酸飲料の炭酸減少を少なく保管を可能にするペットボトルや容器の栓、蓋、弁に関する。
【０００２】
【従来の技術】
従来の栓、蓋、弁は炭酸飲料の飲み残しに対して、栓、蓋、弁をするだけで、再度、保管する際に、時間の経過や量の減少に伴い、容器内部の空気量が増え、炭酸の自然減少が進行していた。また、ビールサーバー器等の物は、サイズが大きく、栓、蓋、弁と一体化している物ではなく、器具が大きい為、取り付けたまま家庭用冷蔵庫へしまうことや、外部器具を取り付けたままで、持ち運びをすることなども、容易でない。
【０００３】
【特許文献１】
特開平０９−３０８４６９号
この発明とは、目的は同じであるが、本発明の物と、形、構造が全く異なるという相違点を以下、（０００５）より説明する。
【０００４】
【発明が解決しようとする課題】
上記（０００２）でも述べてあるが、従来のペットボトルや容器の栓、蓋、弁は炭酸飲料の飲み残しに対して、栓、蓋、弁をするだけで、再度、保管する際に、時間の経過や量の減少に伴い、容器内部の空気量が増え、炭酸の自然減少が進行していた。また、ビールサーバー器等の物は、サイズが大きく、栓、蓋、弁と一体化している物ではなく、器具が大きい為、取り付けたまま家庭用冷蔵庫へしまうことや、外部器具を取り付けたままで持ち運びをすることは容易でない。このような不具合から、軽量・コンパクトで、残量の減った炭酸飲料が、従来の容器の栓、蓋、弁より長時間の間、炭酸の減少を少なく保管を可能にする栓、蓋、弁の構造が本発明の課題とする。
【０００５】
【課題を解決するための手段】
飲み残した炭酸飲料が入った容器に、ポンプ（脱着式電動ポンプも可）と空気進入密着弁を備えた栓、蓋、弁に一体化して装着することによって、サイズも小さく、全体の形状も、大きさや、サイズが通常の栓、蓋、弁よりやや大きくなる程度の物で、栓、蓋、弁と一体化しているので、取り付けたまま家庭用冷蔵庫へしまうことができ、取り付けたままの持ち運びにも容易である。
ペットボトルや容器の栓、蓋、弁により密閉された状態で更に、容器外部から容器内部へ空気を押し込むことで容器内空気圧力を高めることのできる栓、蓋、弁との一体化構造が発明でもあり、手段でもある。
【０００６】
【発明の実施の形態】
以下、本発明の実施の形態、構造を、図１に基づいて説明する。
【０００７】
ペットボトルや容器に合った栓、蓋、弁の形状を、加工・変形したものである。
【０００８】
栓、蓋、弁の本体（Ａ１）の上部中央に空気取り入れ穴（Ａ２）を儲ける。
【０００９】
空気取り入れ穴（Ａ２）に筒状（Ｃ１）を（Ａ１）内側上部へ取り付ける。
【００１０】
（Ａ１）の上部には、ポンプ（Ｂ１）を取り付ける。また、このポンプ（Ｂ１）は、脱着式も可能で電動ポンプを使うという方法でも利用可能である。
【００１１】
また、このポンプ（Ｂ１）の上部には、空気取り入れ穴（Ｂ２）を設ける。
【００１２】
システムの構造はポンプ（Ｂ１）（脱着式電動ポンプも可）の圧力により空気の進入が容器内にあり、筒状部分（Ｃ１）から（Ｄ１）へ空気が通過し、容器外部から空気が取り入れられる。
【００１３】
また、容器内部へ挿入された圧縮空気が外部へ漏れ出さないという一方通行の構造はスプリング（Ｅ４）による下からの力と容器外部から押し込まれた、容器内部空気圧力によって（Ｄ１）へ押し上げる力が加わり空気進入密着弁（Ｄ１）となる。
【００１４】
突起部分（Ｅ３）はスプリング（Ｅ４）を止めるストッパーの役割を果たす。
【００１５】
密着部分（Ｅ１）と軸（Ｅ２）は密閉力が高く、強度を保てる質の素材であれば一体化も可能である。
【００１６】
構造全体を定位置に定める為の包む枠（Ｆ１）は（Ｃ１）（Ｅ１）（Ｅ２）（Ｅ３）（Ｅ４）を包む状態でキャップ（Ａ１）裏側上部へ取り付けられる。又は（Ｃ１）外側への取り付けても効果は同じである。
【００１７】
（Ｆ１）は最下部にスプリング（Ｅ４）を止める為のストッパーの役割を果たす為、穴の形状が小さくなっている。
【００１８】
また、（Ｆ１）は空気進入密着弁（Ｄ１）より進入してきた空気を容器内部へ進入させる隙間（Ｆ２）が、最下部にある。これは（Ｆ２）位置でなくても（Ｆ１）のどこの部分でも空気が抜ける隙間、穴の設置は可能である。
【００１９】
【発明の効果】
従来のペットボトルや容器の栓、蓋、弁は炭酸飲料の飲み残しに対して、栓、蓋、弁をするだけで、再度、保管する際に、時間の経過や量の減少に伴い、容器内部の空気量が増え、炭酸の自然減少が進行していたが、この名称：炭酸ぬけま栓を使用することにより、残量の減った炭酸飲料が、従来の容器の栓、蓋、弁より長時間の間、炭酸の減少を少なく保管をすることが可能となる。また、飲み残した炭酸飲料が入った容器に、ポンプ（脱着式電動ポンプも可）と空気進入密着弁を栓、蓋、弁に一体化して装着することによって、サイズも小さく、全体の形状も、大きさや、サイズが通常の栓、蓋、弁よりやや大きくなる程度の物で、栓、蓋、弁と一体化しているので、取り付けたまま家庭用冷蔵庫へしまうことができ、取り付けたままの持ち運びにも容易である。
【００２０】
【この名称：炭酸ぬけま栓の使用方法】
実際の使用方法は炭酸飲料の入った容器に、本発明の名称：炭酸ぬけま栓を回しながらしっかりと、容器へ取り付け、ポンプの最上部、（Ｂ２）を指で押さえながら、容器内に十分に圧力が高まるまで空気を取り入れるポンプ（Ｂ１）上下作業を繰り返す。また、このポンプ（Ｂ１）は、脱着式でも可能で電動ポンプを使うという方法でも利用可能である。
【図面の簡単な説明】
【図１】横から見た、栓、蓋、弁の名称：炭酸ぬけま栓の全体図
【符号の説明】
Ａ１  栓、蓋、弁の本体
Ａ２  （Ａ１）の上部中央にあけた空気取り入れ穴
Ｂ１  （Ａ１）の上部に取り付けられたポンプ
Ｂ２  （Ｂ１）の上部にあけた空気取り入れ穴
Ｃ１  （Ａ１）の内側上部中央に取り付けられた筒状部分
Ｄ１  （Ｃ１）と（Ｅ１）の密着部分、空気進入密着弁
Ｅ１  （Ｃ１）への密着部分
Ｅ２  軸
Ｅ３  （Ｅ２）部分にある（Ｅ４）を止める為の突起部分（ストッパー）
Ｅ４  スプリング
Ｆ１  構造全体を定位置に定める為の包む枠
Ｆ２  空気を容器内部へ進入させる隙間
【図１】
2004224431.tif 000003